(57)【要約】【課題】ウォーキングやランニングのみならず、様々な日常活動の消費カロリーを算出できる消費カロリー表示装置を提供する。【解決手段】消費カロリー表示装置本体１に、使用者の身体的個人情報と使用者が行う運動ないし活動の種類を入力する入力手段３〜６を設ける。当該運動ないし活動を行った時間を計測する計測手段と、選択した運動ないし活動の強度および時間から消費カロリーを算出する消費カロリー算出手段と、算出された消費カロリーを表示する表示手段２を設けた。【選択図】　図１
2004097649.tif 000002
【特許請求の範囲】
【請求項１】
使用者の身体的個人情報と使用者が行う運動ないし活動の種類を入力する入力手段と、当該運動ないし活動を行った時間を計測する計測手段と、選択した運動ないし活動の強度および時間から消費カロリーを算出する消費カロリー算出手段と、算出された消費カロリーを表示する表示手段を具備することを特徴とする消費カロリー表示装置。
【請求項２】
使用者の歩行数および歩行速度から運動ないし活動の強度を決定し、当該運動ないし活動の強度に応じた消費カロリーを算出する算出手段と、算出された消費カロリーおよび歩数を表示する表示手段を具備してなる請求項１記載の消費カロリー表示装置。
【請求項３】
使用者が目標とする消費カロリーと使用者が行う運動ないし活動の種類を入力する入力手段と、入力された運動ないし活動の種類により目標とする消費カロリーに達するまでの時間を算出し表示する手段を具備してなる請求項１または請求項２記載の消費カロリー表示装置。
【請求項４】
使用者が目標とする消費カロリーと使用者が行う運動ないし活動の種類を入力する入力手段と、入力された運動ないし活動の種類により目標とする消費カロリーに達するまでの時間を算出し表示する手段と、運動ないし活動の開始より時間の経過に伴って表示された時間を減ずるタイマー手段を具備してなる請求項１ないし請求項３記載の消費カロリー表示装置。
【請求項５】
使用者が目標とする消費カロリーと使用者が行う運動ないし活動の種類を入力する入力手段と、入力された運動ないし活動の種類により目標とする消費カロリーに達するまでの時間を算出し表示する手段を具備し、目標達成時には音、振動、または光によって使用者に報知する報知手段を具備してなる請求項１ないし請求項４記載の消費カロリー表示装置。
【請求項６】
単位時間当たりの消費カロリーを蓄積する手段を有し、使用者が後に呼び出して表示する手段を具備してなる請求項１ないし請求項５記載の消費カロリー表示装置。
【請求項７】
使用者の身体的個人情報を入力する入力手段を設けて、使用者の肥満度を表示できるようにした請求項１ないし請求項６記載の消費カロリー表示装置。
【発明の詳細な説明】
【０００１】
【発明の属する技術分野】
本発明は使用者の運動ないし活動による消費カロリーを算出し、表示する携帯可能な消費カロリー表示装置に関する。
【０００２】
【従来の技術】
健康維持ないし健康促進のためにウォーキングなどの運動を行う人が増えている。これらの人を対象に消費カロリーを算出できる装置としては多機能の歩数計が一般的である。
【０００３】
【発明が解決しようとする課題】
現代社会においては、水泳、フィットネス、ゴルフなど運動も多様化してきている。また、炊事、洗濯など日常に行われる活動の消費カロリーは以外と大きく、歩行による消費カロリーの算出しかできない歩数計では１日の活動における消費カロリーをトータル的に把握することはできない。
【０００４】
本発明は、ウォーキングやランニングなどの運動のみならず、様々な日常活動における消費カロリーをも算出できる消費カロリー表示装置を提供することを目的とするものである。
【０００５】
【課題を解決するための手段】
前記目的を達成するための本発明の構成を詳述すれば、請求項１に係る発明は、使用者の身体的個人情報と使用者が行う運動ないし活動の種類を入力する入力手段と、当該運動ないし活動を行った時間を計測する計測手段と、選択した運動ないし活動の強度および時間から消費カロリーを算出する消費カロリー算出手段と、算出された消費カロリーを表示する表示手段を具備することを特徴とする消費カロリー表示装置である。
【０００６】
請求項２に係る発明は、使用者の歩行数および歩行速度から運動ないし活動の強度を決定し、当該運動ないし活動の強度に応じた消費カロリーを算出する算出手段と、算出された消費カロリーおよび歩数を表示する表示手段を具備してなる請求項１記載の消費カロリー表示装置である。
【０００７】
請求項３に係る発明は、使用者が目標とする消費カロリーと使用者が行う運動ないし活動の種類を入力する入力手段と、入力された運動ないし活動の種類により目標とする消費カロリーに達するまでの時間を算出し表示する手段を具備してなる請求項１または請求項２記載の消費カロリー表示装置である。
【０００８】
請求項４に係る発明は、使用者が目標とする消費カロリーと使用者が行う運動ないし活動の種類を入力する入力手段と、入力された運動ないし活動の種類により目標とする消費カロリーに達するまでの時間を算出し表示する手段と、運動ないし活動の開始より時間の経過に伴って表示された時間を減ずるタイマー手段を具備してなる請求項１ないし請求項３記載の消費カロリー表示装置である。
【０００９】
請求項５に係る発明は、使用者が目標とする消費カロリーと使用者が行う運動ないし活動の種類を入力する入力手段と、入力された運動ないし活動の種類により目標とする消費カロリーに達するまでの時間を算出し表示する手段を具備し、目標達成時には音、振動、または光によって使用者に報知する報知手段を具備してなる請求項１ないし請求項４記載の消費カロリー表示装置である。
【００１０】
また、請求項６に係る発明は、単位時間当たりの消費カロリーを蓄積する手段を有し、使用者が後に呼び出して表示する手段を具備してなる請求項１ないし請求項５記載の消費カロリー表示装置である。
【００１１】
さらに、請求項７に係る発明は、使用者の身体的個人情報を入力する入力手段を設けて、使用者の肥満度を表示できるようにした請求項１ないし請求項６記載の消費カロリー表示装置である。
【００１２】
本発明に係る表示装置は、運動ないし活動の種類により決定される運動強度をもとに消費カロリーの算出がなされ、かかる運動強度はアメリカスポーツ医学会（Ａｍｅｒｉｃａｎ　Ｃｏｌｌｅｇｅ　ｏｆ　Ｓｐｏｒｔｓ　Ｍｅｄｉｃｉｎｅ，ＡＣＳＭ）が推奨するＭＥＴｓ（ｍｅｔａｂｏｌｉｃ　ｅｑｕｉｖａｌｅｎｔｓ）を用いている。使用者が行う運動ないし活動の種類により定められるＭＥＴｓ値と、それを行った時間から消費カロリーを算出する手段を有しており、歩行に限らず様々な活動の消費カロリーを算出し表示することができる。
【００１３】
また、請求項３、請求項４および請求項５のように使用者が消費したい目標消費カロリーを入力する手段を具備することで、使用者が選択した運動ないし活動の種類から目標達成までに必要な時間を算出することも可能で、時間経過に伴い消費されたカロリー値が目標に到達したとき、ＬＣＤ、音声、ＬＥＤ、ランプ、スピーカー、ブザー、振動などで使用者に告知することも可能である。
【００１４】
【発明の実施の形態】
以下、本発明消費カロリー表示装置の具体的構成を図示の実施形態に基づき詳細に説明する。
図１は本発明に係る消費カロリー表示装置の一実施形態を示す外観図、図２は図１に示す消費カロリー表示装置の回路構成図、図３は図１に示す消費カロリー表示装置の歩行による消費カロリー算出の動作を説明するためのフローチャート、図４は図１に示す消費カロリー表示装置の歩行以外の消費カロリー算出の動作を説明するためのフローチャート、図５は図１に示す消費カロリー表示装置に目標達成告知機能を付加したときの動作状況を説明するフローチャート、図６は本発明消費カロリー表示装置の一実施形態を示す表示例である。
【００１５】
図中１は演算回路をなすＣＰＵ９および歩行検知部１０などを内部に配設した消費カロリー表示装置本体であり、２は当該表示装置本体１の表面側に配設したＬＣＤからなる表示部を示す。８は運動ないし活動により消費されたカロリーが使用者により定められた目標値に到達したきに、これを告知するため起動するブザーである。
【００１６】
表示装置本体１に配設した前記表示部２の下側には、多数の入力スイッチ（ＳＷ）群が配列されており、そのうちの３は動作モードを切り替えるためのモードＳＷ、４は使用者の身体的個人情報（体重、身長、歩幅、年齢、性別など）の他、運動ないし活動の種類および各種数値情報を入力するアップＳＷ、５はこれら情報のダウンＳＷ、６は前記アップＳＷ４およびダウンＳＷ５により選択または入力された情報のセット機能および歩数または消費カロリーなどをクリアするリセット機能を併せ持つセット／リセットＳＷ、７は歩行以外の活動時に時間を計測するためのスタート／ストップＳＷをそれぞれ示す。
【００１７】
歩行検知部１０は使用者の歩行による振動を検出して電気的なパルスに変換してＣＰＵ９に出力するものであり、既知の歩数計に多く利用されている振り子式加速度センサー、圧電素子を利用した加速度センサーなど歩行による振動を歩数として検知できるものであればいずれも使用可能である。
【００１８】
次に、消費カロリーの算出方法について説明すれば、本発明表示装置では歩行による消費カロリーの算出と様々な活動による消費カロリーの算出が可能であり、双方の算出方法は以下のようになる。
【００１９】
先ず、歩行もしくはそれ以外の活動による消費カロリー算出において関係する運動強度、すなわちＭＥＴｓについて説明する。ＭＥＴｓとは、運動ないし活動による消費カロリーが安静時の何倍であるかを示す係数であり、医学界では国際的に広く用いられている。活動によるＭＥＴｓ係数は炊事、洗濯、掃除などの身の回りの行動から趣味、運動、さらには仕事に至るまで細かく定められており、本発明装置の歩行ないしランニングによるＭＥＴｓ係数を表１に、他の活動によるＭＥＴｓ係数を表２にそれぞれ示す。
【００２０】
【表１】
2004097649.tif 000003
【００２１】
【表２】
2004097649.tif 000004
【００２２】
上記ＭＥＴｓ係数を用いて消費カロリーを算出する計算式は次の通りである。
消費カロリー＝Ｗ×ｔ×Ｍ　（１）
Ｗ：使用者が入力した体重
ｔ：運動ないし活動を行った時間
Ｍ：運動ないし活動の種類によって選択されたＭＥＴｓ係数
【００２３】
歩行における消費カロリーの算出方法を図３のフローチャートを用いて説明すれば、最初の歩数検出から１０秒間の歩数検知部１０からの信号をカウントし（Ｓ１）、検出された歩数Ｎ１０と予め入力されている身体的個人情報の中の歩幅Ｓから歩行速度を求める（Ｓ２）。１０秒間の歩行速度を求める計算式は次式のようになる。
【００２４】
歩行速度＝Ｎ１０×Ｓ　（２）
求められた歩行速度より表１を参照し、ＭＥＴｓ係数Ｍを求め（Ｓ３）、かかるＭＥＴｓ係数Ｍと入力された使用者の体重Ｗおよび歩行の時間（１０秒）から上記式（１）を用いて、１０秒間の消費カロリーＫ１０が求められる（Ｓ４）。
この求められた１０秒間の消費カロリーＫ１０をその都度積算し（Ｓ５）、表示部２へ表示して使用者に伝える（Ｓ６）。
【００２５】
次に、歩行以外の活動について消費カロリーの算出方法を図４のフローチャートに基づいて説明すれば、先ず、使用者がこれより行う活動の種類の選択を行う（Ｓ７）。かかる活動は表２に示すような内容のテーブルを装置本体１にもたせ、アップＳＷ４またはダウンＳＷ５により選択して入力可能となるようにすれば簡単に入力できる。また、予め用意されていない種類の活動の場合であっても、テーブル内にその他の項目を用意し、その他が選択された場合、アップＳＷ４またはダウンＳＷ５によって直接数値を入力することを可能とすれば実現可能である（Ｓ８）。
【００２６】
活動の種類が決定されると装置本体１は時間計測モードに移行し、使用者が活動を開始する際に押されるスタート／ストップＳＷ７の入力信号を待つ。かかるスタート／ストップＳＷ７は時間計測モードに移行し、最初のＯＮ動作で計時スタート、次のＯＮ動作で計時ストップとなるように構成されている。使用者によりスタート／ストップＳＷ７が押されると時間計測に入り（Ｓ９）、再度スタート／ストップＳＷ７が押されるまで計時を続ける（Ｓ１０、Ｓ１１）。計時終了後ＣＰＵ９は、予め使用者が入力しておいた体重と、選択された運動ないし活動の種類と計時した時間で上記（１）式を用いて消費カロリーの算出を行い（Ｓ１２）、表示部２へ表示して使用者に伝える（Ｓ１３）。
【００２７】
目標消費カロリー入力機能を付加した場合の動作を、図５のフローチャートを用いて説明すれば、使用者がこれより行う運動ないし活動の選択を予め用意された表２にある運動ないし活動の種類からアップＳＷ４またはダウンＳＷ５にて選択（Ｓ１４）、もしくはアップＳＷ４またはダウンＳＷ５にて直接入力（Ｓ１５）する。運動ないし活動の種類が決定されＭＥＴｓ係数が決まると目標消費カロリーの入力に移り、アップＳＷ４またはダウンＳＷ５にてカロリーの設定を行う（Ｓ１６）。ＣＰＵ９は入力されたＭＥＴｓ係数および目標消費カロリーから必要な運動ないし活動時間の算出を行う（Ｓ１７）。必要運動ないし活動時間の算出には次式（３）を用いる。
必要運動ないし活動時間＝Ｋ／（Ｗ×Ｍ）　（３）
Ｋ：目標消費カロリー
Ｗ：使用者が入力した体重
Ｍ：運動ないし活動の種類によって選択されたＭＥＴｓ係数
【００２８】
算出された時間は表示部２に表示され使用者に通知される（Ｓ１８）。装置本体１はスタート／ストップＳＷ７の入力信号を待つ。使用者によってスタート／ストップＳＷ７が押されると時間計測に入り（Ｓ１９）、１０秒間ごとに消費カロリーを算出し（Ｓ２０）、消費カロリーの積算を行い（Ｓ２１）、目標消費カロリーに到達したかどうか比較を行う（Ｓ２２）。運動ないし活動の開始からの消費カロリーが目標消費カロリーに達したとき、たとえばブザー８を鳴らして使用者に告知を行い（Ｓ２３）、使用者は必要時間の終了を判断できる。
【００２９】
また、図６に示す表示例のようにこれまで述べた運動ないし活動により求められた消費カロリーを単位時間ごとに記憶させておき、後に１週間の曜日ごと、あるいは１日の時間帯ごとでグラフ表示することも可能である。
【００３０】
さらに、入力された使用者の身体的個人情報を使用し、肥満度を判定することもでき、肥満度は次式を用いて示すことができる。
使用者ＢＭＩ＝体重（Ｋｇ）／（身長（ｍ）×身長（ｍ））
標準ＢＭＩ＝身長（ｍ）×身長（ｍ）×２２
割合＝（使用者ＢＭＩ／標準ＢＭＩ）×１００（％）
なお、肥満度の判定は次の表３による。
【００３１】
【表３】
2004097649.tif 000005
【００３２】
判定された肥満度を装置本体１の表示部２に表示すれば、使用者は現時点での運動量ないし活動量が適性かどうか判断することができる。
【００３３】
【発明の効果】
本発明消費カロリー表示装置によれば、ＭＥＴｓ係数を使用して消費カロリーの算出を行うことにより、ウォーキングなどの歩行運動のみならず、様々な活動の消費カロリーを算出することができ日常生活全体にわたる消費カロリー量の把握が可能である。また、目標消費カロリーと運動ないし活動の種類を入力することで必要とする運動ないし活動の時間の把握ができ、必要以上の運動ないし活動を防ぐことができる。さらに、肥満度などの表示と組み合わせることで使用者が目的をもって運動ないし活動することができる。
【図面の簡単な説明】
【図１】本発明に係る消費カロリー表示装置の一実施形態を示す外観図である。
【図２】図１に示す消費カロリー表示装置の回路構成図である。
【図３】図１に示す消費カロリー表示装置の歩行による消費カロリー算出の動作を説明するためのフローチャートである。
【図４】図１に示す消費カロリー表示装置の歩行以外の消費カロリー算出の動作を説明するためのフローチャートである。
【図５】図１に示す消費カロリー表示装置に目標達成告知機能を付加したときの動作状況を説明するフローチャートである。
【図６】本発明消費カロリー表示装置の一実施形態を示す表示例である。
【符号の説明】
１：消費カロリー表示装置本体　　　２：表示部
３：モードＳＷ　　　　　　　　　　４：アップＳＷ
５：ダウンＳＷ　　　　　　　　　　６：セット／リセットＳＷ
７：スタート／ストップＳＷ　　　　８：ブザー
９：ＣＰＵ　　　　　　　　　　　１０：歩行検知部
【図１】
2004097649.tif 000006
【図２】
2004097649.tif 000007
【図３】
2004097649.tif 000008
【図４】
2004097649.tif 000009
【図５】
2004097649.tif 000010
【図６】
2004097649.tif 000011